(57)【特許請求の範囲】
【請求項１】
複数の発光体が装着された発光基板と、
前記発光基板の発光体装着面の前側に配置された前面板と、
前記前面板の前側に所定間隔を空けて配置された装飾シートと
を備えた遊技機において、
前記装飾シートは、前記発光体に対応して設けられる透光部とその周囲に設けられる遮光部とを有し、
前記前面板に、前記発光体に対応して発光案内部を設け、
前記発光案内部の前端部を前記透光部よりも小さくした
ことを特徴とする遊技機。
【請求項２】
前記発光案内部は、前端側が前記前面板の前側に向けて開口する筒状遮光面を有し、前記筒状遮光面の前端部の開口を前記透光部よりも小さくしたことを特徴とする請求項１に記載の遊技機。
【発明の詳細な説明】
【技術分野】
【０００１】
本発明は、ＬＥＤ等の発光体を利用した表示装置等を有するパチンコ機、スロットマシン等の遊技機に関するものである。
【背景技術】
【０００２】
パチンコ機等の遊技機には、ＬＥＤ等の発光体による電飾装置が搭載されている。この電飾装置は、ＬＥＤ等の発光体が装着された発光基板と、この発光基板の前側を覆うカバー体とを有しており、各発光体から発せられた光が夫々カバー体の一部を内側から照らすことによって電飾効果が得られるようになっている。
【０００３】
また、例えば特許文献１に記載の電飾装置では、カバー体に、各発光体の前側に対応して貫通孔が形成されており、発光体から発せられた光によってカバー体の一部を内側から照らす一方、発光体からの光の一部を貫通孔を介して遊技機前側に通過させることにより、電飾効果をより高いものにできるとしている。
【先行技術文献】
【特許文献】
【０００４】
【特許文献１】特開２０００−２７９５７８号公報
【発明の概要】
【発明が解決しようとする課題】
【０００５】
ところで、このような電飾装置を、複数の発光体の点灯／消灯状態の組み合わせによって各種の情報を表示する表示手段として利用しようと考えた場合、ある程度狭い範囲に複数の発光体を配置すると共に、それら各発光体について点灯／消灯の状態を個別に識別可能であることが必要である。しかしながら、特許文献１に記載の発明をはじめとする従来の電飾装置では、狭い範囲に複数の発光体を配置すると、各発光体から発せられた光が隣の発光体側にも漏れてしまうため、個々の発光体の点灯／消灯の状態を遊技者等に正しく認知させることができない可能性があり、表示手段としての適格性を有しているとは言い難かった。
【０００６】
本発明は上記事情に鑑みてなされたものであり、個々の発光体の点灯／消灯の状態を遊技者等に正確に認知させることが可能な遊技機を提供することを目的とする。
【課題を解決するための手段】
【０００７】
本発明は、複数の発光体４５が装着された発光基板４３と、前記発光基板４３の発光体装着面４３ａの前側に配置された前面板５０と、前記前面板５０の前側に所定間隔を空けて配置された装飾シート６６とを備えた遊技機において、前記装飾シート６６は、前記発光体４５に対応して設けられる透光部６７とその周囲に設けられる遮光部６８とを有し、前記前面板５０に、前記発光体４５に対応して発光案内部５２を設け、前記発光案内部５２の前端部を前記透光部６８よりも小さくしたものである。
【０００９】
また、前記発光案内部５２は、前端側が前記前面板５０の前側に向けて開口する筒状遮光面５５を有し、前記筒状遮光面５５の前端部５５ｂの開口を前記透光部６７よりも小さくしてもよい。
【００１０】
更に、前記装飾シート６６は、透明なベースシート６６ａと、このベースシート６６ａ上に形成される透光性の白色プリント層６６ｂと、この白色プリント層６６ｂ上に形成される遮光性の装飾プリント層６６ｃとで構成されており、前記透光部６７には前記白色プリント層６６ｂと前記装飾プリント層６６ｃとのうちの前記白色プリント層６６ｂのみが形成され、前記遮光部６８には前記白色プリント層６６ｂと前記装飾プリント層６６ｃとが共に形成された構成としてもよい。
【発明の効果】
【００１１】
本発明によれば、各発光体４５の点灯／消灯の状態を遊技者等に正確に認知させることが可能である。
【図面の簡単な説明】
【００１２】
【図１】本発明の第１の実施形態に係るパチンコ機の全体斜視図である。
【図２】同パチンコ機の遊技盤の正面図である。
【図３】同パチンコ機の遊技情報表示装置の要部正面断面図である。
【図４】同パチンコ機の遊技情報表示装置の側面断面図である。
【図５】同パチンコ機の遊技情報表示装置の平面断面図である。
【図６】同パチンコ機の遊技情報表示ユニットの分解斜視図である。
【図７】同パチンコ機の遊技情報表示装置における光路の例（ａ）を、筒状遮光面をテーパー状に形成していない場合の光路の例（ｂ）と比較した説明図である。
【図８】本発明の第２の実施形態に係るパチンコ機の遊技情報表示装置の平面断面図である。
【図９】同パチンコ機の遊技情報表示装置における光路の例を示す説明図である。
【発明を実施するための形態】
【００１３】
以下、本発明の実施形態を図面に基づいて詳述する。図１〜図７は本発明をパチンコ機に採用した第１の実施形態を例示している。図１において、遊技機本体１は、矩形状の外枠２と、この外枠２の前側に開閉自在に枢着された前枠３とを備えている。前枠３の前側には、ガラス扉４と前面板５とが上下に配置され、前枠３に開閉自在に枢支されている。
【００１４】
前面板５には、その前側に、発射手段（図示省略）に供給するための遊技球を貯留する貯留皿６、発射手段を作動させるための発射ハンドル７等が設けられている。
【００１５】
ガラス扉４の裏側には、図２に示す遊技盤１１が着脱自在に装着されている。遊技盤１１の前面側には、発射手段から発射された遊技球を案内するガイドレール１２が環状に装着されると共に、そのガイドレール１２の内側の遊技領域１３に、中央表示ユニット１４、ゲートユニット１５、始動入賞ユニット１６、大入賞ユニット１７、普通入賞ユニット１８等が配置されている。
【００１６】
中央表示ユニット１４は、例えば遊技領域１３の略中央に配置されており、液晶式等の画像表示装置２１の表示画面２１ａに対応する例えば矩形状の表示窓２２を有する表示装飾枠２３が例えば遊技盤１１の前側から着脱自在に装着されている。画像表示装置２１は演出図柄表示手段２４等を構成している。また、表示装飾枠２３上には、例えば左右一側に設けられたワープ入口２５に入球した遊技球を自由に転動させた後に前側に落下させるステージ２６の他、遊技情報表示装置２７、普通入賞口２８等が設けられている。
【００１７】
遊技情報表示装置２７は、普通図柄表示手段２７ａ、特別図柄表示手段２７ｂ、普通保留個数表示手段２７ｃ、特別保留個数表示手段２７ｄ、ラウンド数表示手段２７ｅ等の複数種類の表示手段を構成するもので、縦横に整列配置された多数（ここでは３２個）の発光部２９を備えており、それら多数の発光部２９が夫々各表示手段２７ａ〜２７ｅに割り当てられている。なお、この遊技情報表示装置２７の構造上の特徴については後述する。
【００１８】
ゲートユニット１５は、例えば中央表示ユニット１４の左側に配置されており、遊技球が通過可能な通過ゲートよりなる普通図柄始動手段３１が設けられている。この普通図柄始動手段３１は、普通図柄表示手段２７ａによる図柄変動を開始させるためのもので、遊技球がこの普通図柄始動手段３１を通過することを条件に普通図柄表示手段２７ａによる普通図柄の変動表示が開始されるようになっている。
【００１９】
普通図柄表示手段２７ａは、遊技情報表示装置２７の複数の発光部２９のうち、例えば「○」「×」の２種類の普通図柄に対応する特定の２個の発光部２９により構成されており、遊技球が普通図柄始動手段３１を通過することを条件にそれら２つの発光部２９が所定時間交互に点滅して、普通図柄始動手段３１による遊技球検出時に取得された当たり判定乱数値が予め定められた当たり判定値と一致する場合には当たり態様に対応する「○」側の発光部２９が発光した状態で、それ以外の場合には外れ態様に対応する「×」側の発光部２９が発光した状態で、点滅が終了するようになっている。
【００２０】
また、普通図柄表示手段２７ａの変動表示中、又は後述する普通利益状態中に遊技球が普通図柄始動手段３１を通過した場合には、その通過時に取得された当たり判定乱数値が予め定められた上限保留個数、例えば４個を限度として記憶されると共に、遊技情報表示装置２７の複数の発光部２９のうち、例えば上限保留個数と同数の特定の発光部２９よりなる普通保留個数表示手段２７ｃがその発光個数により当たり判定乱数値の記憶個数（以下、普通保留個数）を表示して、その時点での普通保留個数を遊技者に報知するようになっている。
【００２１】
始動入賞ユニット１６は、例えば中央表示ユニット１４の下側に配置されており、遊技球が入賞可能な上部始動入賞口３２及び下部始動入賞口３３と、例えば前後軸廻りに揺動可能に設けられ且つ下部始動入賞口３３を開閉する左右一対の開閉手段３４等を備えている。上部始動入賞口３２は開閉手段等を有しない非作動式入賞口である。下部始動入賞口３３は、開閉手段３４により開閉可能な作動式入賞口で、普通図柄表示手段２７ａの変動後の停止図柄が当たり態様となって普通利益状態が発生したときに、所定時間開状態に変化して遊技球が入賞可能な状態となる。上部始動入賞口３２及び下部始動入賞口３３は、いずれも特別図柄表示手段２７ｂによる図柄変動を開始させるためのもので、これら始動入賞口３２，３３の何れかに遊技球が入賞することを条件に特別図柄表示手段２７ｂによる特別図柄の変動表示が開始されるようになっている。
【００２２】
特別図柄表示手段２７ｂは、遊技情報表示装置２７の複数の発光部２９のうちの特定の複数（例えば８個）の発光部２９により構成され、それら複数の発光部２９の発光状態の組み合わせによって複数種類の特別図柄を表示可能であり、遊技球が上部始動入賞口３２と下部始動入賞口３３との何れかに入賞することを条件に特別図柄を所定時間変動表示して、上部始動入賞口３２又は下部始動入賞口３３への入賞時に取得された大当たり判定乱数値が予め定められた大当たり判定値と一致する場合には所定の大当たり態様で、それ以外の場合には外れ態様で停止するようになっている。
【００２３】
なお、特別図柄表示手段２７ｂを構成する複数（例えば８個）の発光部２９によって表示可能な複数種類の特別図柄のうち、１又は複数が大当たり態様、それ以外が外れ態様に設定されている。また、特別図柄の変動表示中、又は後述する特別利益状態中に上部始動入賞口３２又は下部始動入賞口３３に遊技球が入賞した場合には、その入賞時に取得された大当たり判定乱数値等が所定の上限保留個数、例えば４個を限度として記憶されると共に、遊技情報表示装置２７の複数の発光部２９のうち、例えば上限保留個数と同数の特定の発光部２９よりなる特別保留個数表示手段２７ｄがその発光個数により大当たり判定乱数値の記憶個数（以下、特別保留個数）を表示して、その時点での特別保留個数を遊技者に報知するようになっている。
【００２４】
また、特別図柄表示手段２７ｂによる特別図柄の変動表示中は、例えば演出図柄表示手段２４による図柄変動演出が行われる。演出図柄表示手段２４は、１個又は複数個、例えば左右方向に３個の演出図柄を例えば各種の演出画像と共に変動表示可能に構成されており、特別図柄の変動開始と同時に所定の変動パターンに従って演出図柄の変動を開始すると共に、特別図柄の変動停止と同時に最終停止するように、演出図柄を左、右、中等の所定の順序で停止させるようになっている。なお、演出図柄表示手段２４は、特別図柄の変動内容とは直接関係のない演出を行う場合があってもよい。
【００２５】
大入賞ユニット１７は、例えば始動入賞ユニット１６の下側に配置されており、開閉板３５によって遊技球が入賞可能な開状態と入賞不可能な閉状態とに切り換え可能な大入賞口３６等を備えている。大入賞口３６は、特別図柄表示手段２７ｂの変動後の停止図柄が大当たり態様となって特別利益状態が発生したときに、開閉板３５が所定の開放パターンに従って前側に開放して、その上に落下した遊技球を内部へと入賞させるようになっている。
【００２６】
開閉板３５による大入賞口３６の開放パターンは例えば複数種類設けられており、本実施形態では、大入賞口３６を０．２秒開放する動作を２ラウンド行う開放パターンＡと、大入賞口３６を、開放してから所定時間（例えば２８秒）経過するかそれまでに所定個数（例えば９個）の遊技球が入賞することを条件に閉鎖する動作を１５ラウンド行う開放パターンＢとの２種類設けられているものとする。
【００２７】
ラウンド数表示手段２７ｅは、特別利益状態における大入賞口３６の開放動作の繰り返しラウンド数を表示するもので、遊技情報表示装置２７の複数の発光部２９のうち、例えば２ラウンド，１５ラウンドの２種類のラウンド数に対応する特定の２個の発光部２９により構成されており、特別図柄表示手段２７ｂの変動後の停止図柄が大当たり態様となったときに、その後に発生する特別利益状態における繰り返しラウンド数に応じた表示態様で所定期間、例えば極短時間だけ作動するようになっている。
【００２８】
普通入賞ユニット１８は、例えば大入賞ユニット１７の左側でガイドレール１２の内側に沿って配置されており、遊技球が入賞可能な複数、例えば３つの普通入賞口３７等が設けられている。
【００２９】
続いて、遊技情報表示装置２７について更に詳細に説明する。遊技情報表示装置２７は、図３〜図５に示すように、例えば表示装飾枠２３に対して着脱自在に装着される遊技情報表示ユニット４１と、この遊技情報表示ユニット４１の前側を覆う表示カバー（カバー体）４２とで構成されている。
【００３０】
遊技情報表示ユニット４１は、図３〜図６に示すように、発光基板４３と、この発光基板４３を収容する発光基板ケース４４とで構成されている。発光基板４３は、例えば横長略矩形状に形成され、その前面側（以下、発光体装着面４３ａという）に多数（ここでは３２個）のＬＥＤ（発光体）４５が縦横に一定パターンで配置されると共に、背面側にはハーネス接続用のコネクタ４６が設けられている。また、発光基板４３の周辺部には、１又は複数、例えば２個の位置決め孔４７が設けられている。
【００３１】
発光基板ケース４４は、発光基板４３の発光体装着面４３ａ側に対応する前ケース体４８と、発光基板４３の背面４３ｂ側に対応する後ケース体４９とで構成されている。前ケース体４８は、発光基板４３の発光体装着面４３ａに対向する前面板５０と、この前面板５０の外縁部に沿って後ろ向きに突設される前周壁部５１と、発光基板４３側の各ＬＥＤ４５に対応して例えば前面板５０の内面側に突設される発光案内部５２と、発光基板４３の位置決め孔４７に対応して例えば前面板５０の内面側に突設される位置決め突起５３とを備え、例えば遮光性を有する合成樹脂により一体に形成されている。発光基板４３は、この前ケース体４８の位置決め突起５３を位置決め孔４７に貫通させた状態で前ケース体４８内に装着されている。
【００３２】
前ケース体４８の前面板５０には、発光基板４３側の各ＬＥＤ４５に対応して例えば丸形の発光窓５４が複数（ここでは３２個）形成されており、発光案内部５２は、それら発光窓５４を取り囲む筒状に形成されている。なお本実施形態では、隣り合う発光窓５４間の距離が発光案内部５２の板厚よりも小さいため、各発光案内部５２は、図６に示すように互いに隙間なく一体化された状態で配置されている。
【００３３】
発光案内部５２は、発光基板４３に対して略垂直となるように設けられ、発光基板４３側の後端部５２ａが、各ＬＥＤ４５を取り囲むように発光基板４３の発光体装着面４３ａに当接又は近接している。また、発光案内部５２の内周を構成する筒状遮光面５５は、ＬＥＤ４５側の後端部５５ａから他端側の前端部５５ｂ（＝発光窓５４）にかけて徐々に狭くなるテーパー状に形成されている。
【００３４】
後ケース体４９は、発光基板４３の背面４３ｂに対向する背面板６０と、この背面板６０の外縁部に沿って前向きに突設される後周壁部６１と、発光基板４３の位置決め孔４７に対応して例えば背面板６０の内面側に突設される例えば筒状の固定基部６２とを備え、例えば遮光性を有する合成樹脂により一体に形成されている。この後ケース体４９は、前ケース体４８側に装着された発光基板４３の背面４３ｂ側から、位置決め突起５３を固定基部６２に嵌合させつつ前ケース体４８の後側に嵌め合わされるようになっている。なお、後ケース体４９には、背面板６０上にコネクタ嵌合孔６３が形成されており、発光基板４３側のコネクタ４６はこのコネクタ嵌合孔６３から外部に露出され、図示しないハーネスが接続されるようになっている。
【００３５】
以上説明した遊技情報表示ユニット４１は、表示装飾枠２３上の所定位置に形成された表示カバー（カバー体）４２の後側に前面側、即ち前ケース体４８の前面板５０を当接又は近接させた状態で、任意の固定手段６４により着脱自在に固定されている。表示カバー４２は、表示装飾枠２３上に設けられたレンズ板（透光板）６５と、そのレンズ板６５の前面側（遊技情報表示ユニット４１と反対側の面）に貼着された装飾シート６６とで構成されている。
【００３６】
レンズ板６５は、透光性を有する例えば無色透明の合成樹脂製で、遊技情報表示ユニット４１の前側全体を覆うように例えば一定板厚に形成されている。装飾シート６６は、例えば少なくとも遊技情報表示ユニット４１の前側全体を覆う大きさに形成されており、遊技情報表示ユニット４１側の各発光窓５４に対応して、ＬＥＤ４５からの光を前側に透過させる透光部６７が形成されると共に、少なくともそれら透光部６７の周囲一定範囲については光を透過しない遮光部６８が形成されている。
【００３７】
装飾シート６６は、図５の部分拡大図に示すように、例えば透明なベースシート６６ａの表面に任意の絵柄等がプリントされたもので、本実施形態では、この装飾シート６６に形成された例えば丸形の開口部によって透光部６７が構成され、ベースシート６６ａの表面に白色プリント層６６ｂと遮光性の装飾プリント層６６ｃとが積層されることによって遮光部６８が構成されている。なお、遮光性のプリントを施さない透明部（ベースシート６６ａが露出した部分）を各発光窓５４に対応して設け、これを透光部６７としてもよい。
【００３８】
また、遊技情報表示ユニット４１側の筒状遮光面５５の前端部５５ｂ（＝発光窓５４）は、装飾シート６６の透光部６７よりも小径に形成されている。
【００３９】
以上説明した遊技情報表示装置２７においては、ＬＥＤ４５が点灯すると、このＬＥＤ４５から発せられた光は、図７（ａ）に示すように、発光案内部５２の筒状遮光面５５で反射されるか、又は筒状遮光面５５で反射することなく略真っ直ぐに進んでレンズ板６５に入射する。そして、レンズ板６５内を進んだ光のうち、装飾シート６６の透光部６７に対応する位置でレンズ板６５から抜けた光のみがその透光部６７を経て前側に進み、遊技者等によって認識される。
【００４０】
ここで、筒状遮光面５５は、ＬＥＤ４５側の後端部５５ａから前端部５５ｂ（＝発光窓５４）にかけて徐々に狭くなるテーパー状に形成されているため、ＬＥＤ４５の間隔を変更することなく、筒状遮光面５５の前端部５５ｂから隣のＬＥＤ４５に対応する透光部６７までの距離を大きくすることができる。これにより、図７（ａ）に示すように、ＬＥＤ４５から発せられた光が隣のＬＥＤ４５側の透光部６７から漏れる可能性を、筒状遮光面５５をテーパー状に形成していない図７（ｂ）の場合と比べて明らかに小さくでき、各ＬＥＤ４５の点灯／消灯の状態を遊技者等に正確に認知させることが可能である。
【００４１】
また、筒状遮光面５５の前端部５５ｂ（＝発光窓５４）は、装飾シート６６の透光部６７よりも小径に形成されているため、組み立て過程で生じ得る装飾シート６６と遊技情報表示ユニット４１との相対的な位置ズレを吸収できる。
【００４２】
図８及び図９は本発明の第２の実施形態を例示し、第１の実施形態の装飾シート６６を変更して、透光部６７には透光性の白色プリント層６６ｂと遮光性の装飾プリント層６６ｃとのうちの白色プリント層６６ｂのみを形成し、遮光部６８には白色プリント層６６ｂと装飾プリント層６６ｃとを共に形成した例を示している。この装飾シート６６上の透光部６７以外は第１の実施形態と同様の構成を採用できる。
【００４３】
このように、装飾シート６６上の透光部６７を、開口部や透明部ではなく、透明なベースシート６６ａ上に透光性の白色プリント層６６ｂのみを形成した構成とすることにより、遮光しない範囲で、透光部６７の光透過率を開口部や透明部の場合よりも小さくすることができる。これにより、図９に示すように、例えばＬＥＤ４５から略真っ直ぐ進んでその前側のレンズ板６５に入射したような強い光は透光部６７を通過することができるが、例えば筒状遮光面５５で反射を繰り返し、レンズ板６５を介して隣のＬＥＤ４５側の透光部６７に達したような弱い光はその透光部６７を通過することができないため、ＬＥＤ４５から発せられた光が隣のＬＥＤ４５側の透光部６７から漏れる可能性をより小さくでき、各ＬＥＤ４５の点灯／消灯の状態を遊技者等に正確に認知させることが可能である。
【００４４】
以上、本発明の実施形態について詳述したが、本発明はこれらの実施形態に限定されるものではなく、本発明の趣旨を逸脱しない範囲で種々の変更が可能である。例えば、遊技情報表示装置２７は、遊技者が視認可能な位置であれば前枠３上の任意の位置に配置することが可能である。
【００４５】
遊技情報表示装置２７によって表示する遊技情報も任意であり、例えば特別遊技状態中であること等を報知可能としてもよい。
【００４６】
第２の実施形態のように、透光部６７に白色プリント層６６ｂと装飾プリント層６６ｃとのうちの白色プリント層６６ｂのみを形成することにより透光部６７の光透過率を開口部や透明部の場合よりも小さくする場合、筒状遮光面５５をテーパー状に形成しなくても一定の効果は期待できる。
【００４７】
筒状遮光面５５の前端部５５ｂの開口は、透光部６７よりも小さくすることが望ましいが、透光部６７と同じか大きく形成してもよい。また、筒状遮光面５５は断面円形状である必要はなく、断面多角形状等であってもよい。
【００４８】
装飾プリント層６６ｃは、遮光性を有していればその模様、色等は任意である。また、複数のプリント層によりこの装飾プリント層６６ｃを形成してもよい。
【００４９】
装飾シート６６上の各透光部６７（開口部の場合を除く）に、その透光部６７に対応する発光部２９が表示する遊技情報の種類を示す識別情報、例えば普通図柄を示す「○」
「×」等の記号、大当たりのラウンド数を示す「２」「１５」等の数字、その他を表示してもよい。この識別情報は、遮光性のプリントを施さない透明部（ベースシート６６ａが露出した部分）を透光部６７とする場合にはその透明なベースシート６６ａ上に例えば透光性のプリントを行うことにより形成すればよいし、第２の実施形態のようにベースシート６６ａ上に白色プリント層６６ｂのみを形成した部分を透光部６７とする場合にはその白色プリント層６６ｂ上に例えば透光性のプリントを行うことにより形成すればよい。
【００５０】
また本発明は、パチンコ機に限らず、アレンジボール機、雀球遊技機等の各種の弾球遊技機の他、スロットマシン等の各種遊技機においても同様に実施することが可能である。
【符号の説明】
【００５１】
４２    表示カバー（カバー体）
４３    発光基板
４３ａ  発光体装着面
４５    ＬＥＤ（発光体）
５２    発光案内部
５５    筒状遮光面
５５ａ  後端部
５５ｂ  前端部
６５    レンズ板（透光板）
６６    装飾シート
６６ａ  ベースシート
６６ｂ  白色プリント層
６６ｃ  装飾プリント層
６７    透光部
６８    遮光部
【図１】
0005813044.tif 000002
【図２】
0005813044.tif 000003
【図３】
0005813044.tif 000004
【図４】
0005813044.tif 000005
【図５】
0005813044.tif 000006
【図６】
0005813044.tif 000007
【図７】
0005813044.tif 000008
【図８】
0005813044.tif 000009
【図９】
0005813044.tif 000010